(57)【要約】【課題】通常のブックエンド以外に、書籍等の表紙側が見えるように面陳列する表紙見せスタンドとしても使用しうるようにしたブックエンドを提供する。【解決手段】書籍２等の表面または裏面を支持可能なほぼ垂直に交わる第１支持部３及び第２支持部４と、第１支持部３または第２支持部４の幅方向の下縁に連設され、書籍２等の下端部を支持可能な底片５ａと上向片５ｂを有する第３支持部５と、を備える。【選択図】図４
2020065844.tif 000002
【特許請求の範囲】
【請求項１】
書籍等の表面または裏面を支持可能なほぼ垂直に交わる第１支持部及び第２支持部と、前記第１支持部または前記第２支持部の幅方向の下縁に連設され、書籍等の下端部を支持可能な底片と上向片を有する第３支持部と、を備えることを特徴とするブックエンド。
【請求項２】
前記第１支持部及び第２支持部は平面視Ｌ字状をなし、前記第３支持部における前記底片と上向片は側面視Ｌ字状をなしていることを特徴とする請求項１に記載のブックエンド。
【請求項３】
前記底片と上向片を前記第１支持部または前記第２支持部の幅方向の側縁から突出させることにより、前記第３支持部には延長部が形成されていることを特徴とする請求項１または２に記載のブックエンド。
【請求項４】
前記第３支持部が連設されていない前記第１支持部または前記第２支持部の下端は、前記第３支持部の下面よりも上方に位置することを特徴とする請求項１ないし３のいずれかに記載のブックエンド。
【請求項５】
前記第３支持部の下面よりも上方に位置する前記第１支持部または前記第２支持部の下端を、棚板の上面に接触するように遊端側方向に向かって上向きに傾斜する上向傾斜面としたことを特徴とする請求項１ないし４のいずれかに記載のブックエンド。
【発明の詳細な説明】
【技術分野】
【０００１】
本発明は、ブックエンドに係り、特に、書籍等の表紙側が見えるように面陳列する表紙見せスタンドとしても使用しうるようにしたブックエンドに関する。
【背景技術】
【０００２】
書店や図書館等において書籍等を陳列する場合、書籍等の背表紙側が見えるように書架の棚板の横方向に並べて陳列する背差し陳列と、棚板の正面方向に書籍等の表紙側が見えるように陳列する面陳列とのいずれかの陳列方法が採られ、背差し陳列する場合には、書籍等が倒れるのを防止するためにブックエンドが使用される。通常のブックエンドは、面陳列する機能を有しておらず、ブックエンドを表紙見せスタンドとして使用することができないため、面陳列する場合には、面陳列専用の陳列棚が使用されることが多い。
【０００３】
この問題を解決しうるものとして、例えば特許文献１には、ブックエンドの底板に傾斜展示部材の平面状をなす切り込みを挿入することにより、ブックエンドを、展示物を面陳列可能な傾斜展示具（表紙見せスタンド）としても使用することができるようにしたものが開示されている。
【先行技術文献】
【特許文献】
【０００４】
【特許文献１】特開２０１８−６８９９１号公報（第８頁、第６図）
【発明の概要】
【発明が解決しようとする課題】
【０００５】
しかしながら、特許文献１に記載されているものにおいては、ブックエンドとは別体の傾斜展示部材を合成樹脂等により型成形する必要があるので、コスト高となる。また、表紙見せスタンドとして使用する際には、その都度、ブックエンドの底板に傾斜展示部材を挿し込む必要があるので、その作業が面倒であるだけでなく、ブックエンドとして使用する際には、傾斜展示部材を外して保管しておかなくてはならず、それを紛失させるおそれもある。
【０００６】
本発明は、このような問題点に着目してなされたもので、通常のブックエンド以外に、書籍等の表紙側が見えるように面陳列する表紙見せスタンドとしても使用しうるようにしたブックエンドを提供することを目的とする。
【課題を解決するための手段】
【０００７】
前記課題を解決するために、本発明のブックエンドは、
書籍等の表面または裏面を支持可能なほぼ垂直に交わる第１支持部及び第２支持部と、前記第１支持部または前記第２支持部の幅方向の下縁に連設され、書籍等の下端部を支持可能な底片と上向片を有する第３支持部と、を備えることを特徴としている。
この特徴によれば、第３支持部の底片を棚板の上面に該棚板の横方向を向くように載置するとともに、第３支持部が連設されている第１支持部と第２支持部とのいずれか一方における書籍等の裏面を支持可能な支持面を棚板の正面方向に向け、さらに第１支持部と第２支持部とのいずれか他方を棚板の上面に該棚板の前後方向を向くように起立させて載置することにより、ブックエンドを、書籍等の表紙側が見えるように面陳列する表紙見せスタンドとして使用することができる。
また、表紙見せスタンドとしての使用状態から向きを変更し、第３支持部が連設されている第１支持部と第２支持部とのいずれか一方を棚板の上面に水平に載置するとともに、第１支持部と第２支持部とのいずれか他方を上下方向を向くように起立させ、さらに第３支持部を棚板の前端部に外嵌させることにより、書籍等を背差し陳列する通常のブックエンドとして使用することができる。この際、第３支持部が棚板の前端部に外嵌されているので、ブックエンドの浮き上がりや横ずれを防止することができる。
【０００８】
前記第１支持部及び第２支持部は平面視Ｌ字状をなし、前記第３支持部における前記底片と上向片は側面視Ｌ字状をなしていることを特徴としている。
この特徴によれば、第１支持部及び第２支持部は平面視Ｌ字状をなし、第３支持部の底片と上向片は側面視Ｌ字状をなしているので、例えばブックエンドを平板状に展開した形状の１枚の板金をプレス等により折曲することにより、第１支持部、第２支持部及び第３支持部が一体的に形成されたブックエンドを、容易にかつ低コストで製作することができる。
【０００９】
前記底片と上向片を前記第１支持部または前記第２支持部の幅方向の側縁から突出させることにより、前記第３支持部には延長部が形成されていることを特徴としている。
この特徴によれば、ブックエンドを表紙見せスタンドとして使用する場合に、第３支持部の横方向の寸法が大となるので、横幅の大きい書籍等の下端部を安定よく支持することができる。
【００１０】
前記第３支持部が連設されていない前記第１支持部または前記第２支持部の下端は、前記第３支持部の下面よりも上方に位置することを特徴としている。
この特徴によれば、ブックエンドを表紙見せスタンドとして使用する場合に、書籍等の裏面を支持する第１支持部または第２支持部の支持面が後方に傾斜するので、書籍等が前方に倒れるのを防止することができる。
【００１１】
前記第３支持部の下面よりも上方に位置する前記第１支持部または前記第２支持部の下端を、棚板の上面に接触するように遊端側方向に向かって上向きに傾斜する上向傾斜面としたことを特徴としている。
この特徴によれば、第１支持部または第２支持部の下端の上向傾斜面が、棚板の上面に広範囲に接触するので、ブックエンドを表紙見せスタンドとして使用する場合の安定性がよくなる。
【図面の簡単な説明】
【００１２】
【図１】本発明の実施例１に係るブックエンドを表紙見せスタンドとして使用したときの斜視図である。
【図２】同じく通常のブックエンドとして使用したときの斜視図である。
【図３】ブックエンド製作用の板金の展開平面図である。
【図４】表紙見せスタンド及び通常のブックエンドとして陳列棚の棚板に載置した状態の斜視図である。
【図５】不使用時にブックエンドを重ねて保管する場合の斜視図である。
【図６】本発明の実施例２に係るブックエンドを表紙見せスタンドとして使用したときの斜視図である。
【図７】同じく通常のブックエンドとして使用したときの斜視図である。
【発明を実施するための形態】
【００１３】
本発明に係るブックエンドを実施するための形態を実施例に基づいて以下に説明する。
【実施例１】
【００１４】
実施例１に係るブックエンドにつき、図１から図５を参照して説明する。
【００１５】
図１は、本発明の実施例１に係るブックエンドを示すもので、このブックエンド１は、書籍２等の表面または裏面を支持可能なほぼ垂直に交わる平面視Ｌ字状の第１支持部３及び第２支持部４と、第１支持部３の幅方向の下縁にその支持面３ａから離間するように外向きに連設され、書籍２等の下端部を支持可能な第３支持部５とを有している。第３支持部５は、ほぼ水平の底片５ａと、その外方の端縁から第１支持部３と対向するように起立する上向片５ｂとからなり、右側面視Ｌ字状をなしている。
【００１６】
第２支持部４の下端は第３支持部５の底片５ａの下面よりも上方に位置している。第２支持部４の遊端側の下端は、第２支持部４の遊端方向に向かって上向きに傾斜する、上向傾斜面６となっている。この上向傾斜面６は、後述するように、ブックエンド１を表紙見せスタンドとして使用する場合に、棚板７の上面に該棚板７の奥行き方向に長く接触するようになっている。
【００１７】
第３支持部５の底片５ａと上向片５ｂを第１支持部３の幅方向の側縁から第２支持部４を超えて所定の長さ幅方向（図２における右斜め上方向）に突出させることにより、第３支持部５には、側面視Ｌ字状の延長部５ｃが形成されている。延長部５ｃの底片５ａにおける第２支持部４側の端縁には、第１支持部３の支持面３ａと連続する上向きの短寸の突条片５ｄが、上向片５ｂと対向するように長さ方向に沿って連設されている。
【００１８】
ブックエンド１は、第１支持部３及び第２支持部４を平面視Ｌ字状とし、第３支持部５を側面視Ｌ字状としているので、図３に示すように、例えばブックエンド１を平板状に展開した形状に打抜かれたスチール等よりなる１枚の板金８を、折曲げ線９に沿ってプレス等により折曲することにより、第１支持部３、第２支持部４及び第３支持部５が一体的に形成されたブックエンド１を、容易にかつ低コストで製作することができる。
【００１９】
次に、ブックエンド１の使用方法について説明する。図１及び図４に示すように、延長部５ｃを含む第３支持部５の底片５ａを陳列棚の棚板７の上面に該棚板７の横方向を向くように載置するとともに、第１支持部３の支持面３ａを棚板７の正面方向に向け、さらに第２支持部４を棚板７の上面に前後方向を向くように起立させて載置すれば、ブックエンド１を、書籍２等の表紙側を棚板７の正面から見えるように面陳列する表紙見せスタンドとして使用することができる。
【００２０】
この際、第２支持部４の下端は第３支持部５の下面よりも上方に位置しているので、第１支持部３の支持面３ａを後方に傾斜させることができ、第１支持部３の支持面３ａにより支持される書籍２等が前方に倒れるのが防止される。また、第２支持部４の遊端側の下端には、棚板７の上面に接触する上向傾斜面６が形成されているので、表紙見せスタンドを棚板７に安定よく載置することができる。
【００２１】
さらに、第３支持部５は、第１支持部３の幅方向の側縁から第２支持部４を超えて突出する延長部５ｃを有しているので、第３支持部５の横方向（長手方向）の寸法が大となり、横幅の大きい書籍２等の下端部を安定よく支持することができる。しかも、延長部５ｃの底片５ａにおける第２支持部４側の端縁には、第１支持部３の支持面３ａと連続する上向きの突条片５ｄが連設されているので、突条片５ｄにより書籍２等の下端部が後方に移動するのが規制され、横幅の大きな書籍２等をより安定よく支持することができる。また、ブックエンド１は、スチール製であるため、第３支持部５の上向片５ｂの前面に、書籍２等のタイトルなどを印刷したマグネットプレート１０等を取り付けることができる。なお、ブックエンド１の不使用時には、図５に示すように複数重ねて保管することができる。
【００２２】
図２及び図４に示すように、表紙見せスタンドとしての使用状態から向きを変更し、第３支持部５が連設されている第１支持部３が底板となるように棚板７の上面に水平に載置するとともに、第２支持部４を起立させて棚板７の前後方向を向くようにし、さらに第３支持部５を棚板７の前端部に外嵌することにより、書籍２等の背表紙側が正面側から見えるように棚板７の横方向に並べて陳列（背差し陳列）する通常のブックエンド１として使用することができる。この際、第１支持部３と第３支持部５の上向片５ｂとにより棚板７の前端部が上下方向から挟持されるので、ブックエンド１の浮き上がりや横ずれを防止することができる。ブックエンド１として使用する際にも、第３支持部５の底片５ａの前面に、書籍２等のタイトルなどを印刷したマグネットプレート１０等を取り付けることができる。
【実施例２】
【００２３】
次に、実施例２に係るブックエンドにつき、図６と図７を参照して説明する。尚、前記実施例と同一構成で重複する構成の説明を省略する。
【００２４】
図６に示されるように、ブックエンド１１は、第１支持部３と第２支持部４を平面視Ｔ字状をなすように溶接等により結合するとともに、第３支持部５の底片５ａを幅広として、その遊端部寄りの上面に上向片５ｂの下端を溶接等により結合したものである。なお、第１支持部３と底片５ａに位置決め用のスリットを形成し、このスリットに第２支持部４及び上向片５ｂの一端部をそれぞれ嵌合して、溶接等により結合してもよい。
【００２５】
実施例２に係るブックエンド１１においても、図６に示す表紙見せスタンドと、図７に示すような通常のブックエンドとして使用することができる。なお、第１支持部３と第２支持部４は平面視Ｔ字状をなしているため、図７に示すブックエンドとして使用する場合には、第２支持部４の左右両面により書籍等を支持することができる。また、底片５ａを幅広としてあるので、タイトル等の表示面積を大とすることができる。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、前記実施例では、第１支持部３の幅方向の下縁に第３支持部５を設けているが、第２支持部４側の下縁に第３支持部５を設けてもよい。この場合には、第１支持部３の下端を第３支持部５の下面よりも上方に位置させればよい。
【００２８】
また、前記実施例では、第２支持部４の下端を、棚板７の上面に広範囲に接触するように遊端側方向に向かって上向きに傾斜する上向傾斜面６としているが、上向傾斜面６を省略し、第２支持部４の下端を単に第３支持部５の下面よりも上方に位置させるだけでもよい。このようにしても、表紙見せスタンドとして使用する際に、第２支持部４の後端部の下端が棚板７の上面に接触するので、第１支持部３の支持面３ａを後方に傾斜させることができる。
【００２９】
さらに、前記実施例では、横幅の大きい書籍２等の下端部を安定よく支持しうるように、第３支持部５に延長部５ｃを設けているが、このような延長部５ｃは省略して実施することもある。
【００３０】
本発明のブックエンド１は、書籍２等のほかに、各種ファイル、ＣＤやＤＶＤが収容されたケース等を陳列する際にも使用することができる。
【符号の説明】
【００３１】
１                  ブックエンド
２                  書籍
３                  第１支持部
３ａ                支持面
４                  第２支持部
５                  第３支持部
５ａ                底片
５ｂ                上向片
５ｃ                延長部
５ｄ                突条片
６                  上向傾斜面
７                  棚板
８                  板金
９                  折曲げ線
１０                マグネットプレート
１１                ブックエンド
【図１】
2020065844.tif 000003
【図２】
2020065844.tif 000004
【図３】
2020065844.tif 000005
【図４】
2020065844.tif 000006
【図５】
2020065844.tif 000007
【図６】
2020065844.tif 000008
【図７】
2020065844.tif 000009